(57)【要約】      （修正有）【課題】円環状のスリット刃を簡単に取り替えることができる切断装置を提供する。【解決手段】ウエブＷが架け渡されたバックアップローラ１８と、バックアップローラ１８の上方にバックアップローラ１８と平行に配された回転軸２２と、回転軸２２を回転自在に支持する一対の支持腕２４と、一対の支持腕２４の外側にある回転軸２２の一端に設けられ回転軸２２を回転させる軸駆動手段２６と、回転軸２２の他端部に着脱自在に設けられた上スリット刃４６とを有する。【選択図】図１
2017035767.tif 000002
【特許請求の範囲】
【請求項１】
前後方向に走行するウエブを走行方向に沿って切断する切断装置において、
前記ウエブが掛け渡されるように左右方向に配されたバックアップローラと、
前記バックアップローラを回転させるローラ駆動手段と、
前記バックアップローラの上方に、かつ、前記バックアップローラと平行に配された回転軸と、
前記回転軸を回転自在に支持する左右一対の支持腕と、
左右一対の前記支持腕の外側にある前記回転軸の一端に設けられ、前記回転軸を回転させる軸駆動手段と、
左右一対の前記支持腕の外側にある前記回転軸の他端に着脱自在に取り付けられた前記ウエブを切断する上スリット刃と、
を有する切断装置。
【請求項２】
前記回転軸に取り付けられた前記上スリット刃に対応した前記バックアップローラの外周部には、円環状の溝が設けられ、
前記溝に下スリット刃が設けられている、
請求項１に記載の切断装置。
【請求項３】
左右一対の前記支持腕を上下動自在に移動させる上下移動手段を有する、
請求項１に記載の切断装置。
【請求項４】
前記回転軸に取り付けられた前記上スリット刃が、前記ウエブの幅方向における中心に位置している、
請求項１に記載の切断装置。
【請求項５】
前記ローラ駆動手段と前記軸駆動手段とが一体である、
請求項１に記載の切断装置。
【請求項６】
前記回転軸の回転速度が、前記バックアップローラを回転速度と同じ、又は、早い、
請求項１に記載の切断装置。
【請求項７】
前記回転軸に取り付けられた前記上スリット刃の回転方向は、前記ウエブの走行方向と同じである、
請求項１に記載の切断装置。
【請求項８】
前記回転軸に取り付けられた前記上スリット刃は、ゲーベル型である、  
請求項１に記載の切断装置。
【請求項９】
前記バックアップロールに設けられた前記下スリット刃は、ゲーベル型である、  
請求項２に記載の切断装置。
【請求項１０】
前記ウエブが、金属箔である、
請求項１に記載の切断装置。
【発明の詳細な説明】
【技術分野】
【０００１】
本発明は、ウエブの切断装置に関するものである。
【背景技術】
【０００２】
従来、走行する金属箔などの長尺状のウエブを走行方向に沿って切断するために切断装置（スリッター）が用いられている。この切断装置は、バックアップローラにウエブを架け渡し、このバックアップローラの上方に設けられた回転軸に円環状のスリット刃を取り付け、スリット刃が回転することによりウエブを切断する（例えば、特許文献１参照）。
【先行技術文献】
【特許文献】
【０００３】
【特許文献１】特開２００３−９４３８２号公報
【発明の概要】
【発明が解決しようとする課題】
【０００４】
上記のような切断装置において、スリット刃が取り付けられている回転軸は、その両端を回転自在に左右一対の支持腕で支持して、モータで回転させている。そのため、スリット刃が摩耗して交換をするときには、回転軸を左右一対の支持腕から取り外し、その上で回転軸からスリット刃のホルダを抜いて、新しいスリット刃を取り付けている。したがって、このスリット刃の交換作業が非常に手間であるという問題点があった。
【０００５】
そこで、本発明は上記問題点に鑑み、スリット刃を簡単に取り替えることができる切断装置を提供することを目的とする。
【課題を解決するための手段】
【０００６】
本発明は、前後方向に走行するウエブを走行方向に沿って切断する切断装置において、前記ウエブが掛け渡されるように左右方向に配されたバックアップローラと、前記バックアップローラを回転させるローラ駆動手段と、前記バックアップローラの上方に、かつ、前記バックアップローラと平行に配された回転軸と、前記回転軸を回転自在に支持する左右一対の支持腕と、左右一対の前記支持腕の外側にある前記回転軸の一端に設けられ、前記回転軸を回転させる軸駆動手段と、左右一対の前記支持腕の外側にある前記回転軸の他端に着脱自在に取り付けられた前記ウエブを切断する上スリット刃と、を有する切断装置である。
【発明の効果】
【０００７】
本発明の切断装置によれば、スリット刃を回転させる回転軸は、左右一対の支持腕によって片持ち状態で支持されているため、スリット刃は、回転軸の他端から簡単に取り外し交換できる。
【図面の簡単な説明】
【０００８】
【図１】本発明の一実施形態を示す切断装置の正面図である。
【図２】図１におけるＡ−Ａ線断面図である。
【図３】上スリット刃と下スリット刃の拡大図である。
【発明を実施するための形態】
【０００９】
以下、本発明の一実施形態のウエブＷの切断装置１０について図１〜図３に基づいて説明する。
【００１０】
（１）切断装置１０の構造
金属箔、金属網、布帛、フィルムなどのウエブＷの切断装置１０の構造について図１〜図３に基づいて説明する。
【００１１】
図１に示すように、水平な床の上に載置される基台１２から左右一対の支持脚１４，１４が立設されている。この左右一対の支持脚１４，１４の上端部の間には、水平方向に架設部材１６が架け渡されている。
【００１２】
左右一対の支持脚１４，１４の間にはバックアップローラ１８が水平に架け渡され、かつ、左右一対のベアリング２０，２０を介して回転自在に取り付けられている。
【００１３】
バックアップローラ１８の上方には、回転軸２２が水平方向に配され、左右一対の支持腕２４，２４によって吊り下げられている。回転軸２２の軸方向の長さは、バックアップローラ１８の軸方向の長さの約半分であり、バックアップローラ１８の左側の上方に配されている。
【００１４】
バックアップローラ１８の左端部と、回転軸２２の左端部は駆動装置２６に連結されている。この駆動装置２６内部にはモータが内蔵され、回転軸２２とバックアップローラ１８とを同じ速度で回転させる。
【００１５】
回転軸２２を支持している左右一対の支持腕２４，２４について図２に基づいて説明する。支持腕２４は、垂直板２８を有し、この垂直板２８の上端部は架設部材１６の前面に固定されている。垂直板２８の上部には水平板３０が前方に突出するように取り付けられ、この水平板３０より下方に位置する垂直板２８の前面には上下方向に固定レール３２が設けられている。また、垂直板２８の前方には上下移動部材３４が設けられ、この上下移動部材３４の後面に設けられている移動レール３６が、固定レール３２に沿って上下動する。水平板３０にはエアシリンダ３８が設けられ、このエアシリンダ３８の下部からシリンダ部４０が突出し、シリンダ部４０の下端部が上下移動部材３４の上面に固定されている。上下移動部材３４の両側面には回転軸２２が貫通し、上下移動部材３４内部に設けられているベアリング４２を介して回転自在に回転軸２２を支持している。
【００１６】
図３に示すように、左右一対の支持腕２４，２４の右外側に位置する回転軸２２の右端部には、円筒形のホルダ４４が取り付けられている。円筒形のホルダ４４の外周部にはゲーベル型の上スリット刃４６が固定されている。上スリット刃４６が摩耗した場合には、このホルダ４４ごと取り替える。ホルダ４４の左側で、かつ、右側の支持腕２４よりも外側において、円環状の左固定部材４８がネジ５０によって固定されている。この左固定部材４８の右側に円筒状の左円筒部材５２を介してホルダ４４が取り付けられる。また、ホルダ４４の右側、すなわち回転軸２２の最も右端部には右固定部材５４がネジ５８によって取り付けられ、右円筒部材５６を介してホルダ４４に当接されている。
【００１７】
図２、図３に示すように、回転軸２２の上スリット刃４６の下方に位置するバックアップローラ１８には、円環状の溝６０が設けられ、この溝６０にはゲーベル型の下スリット刃６２が設けられている。そして、バックアップローラ１８を走行するウエブＷは、この溝６０の位置にある回転する下スリット刃６２と、回転する上スリット刃４６によって走行方向に切断される。この上スリット刃４６の回転方向は走行するウエブＷに沿った方向であり、その回転底度は走行速度と同じに設定されている。
（２）切断装置１０の動作状態
次に、切断装置１０の動作状態について説明する。
【００１８】
まず、図２に示すように、ウエブＷをバックアップローラ１８に架け渡し、ウエブＷを前後方向に走行させる。
【００１９】
次に、左右一対の支持腕２４，２４によって回転軸２２を下方に移動させ、図３に示すように、上スリット刃４６と下スリット刃６２とが接触するようにする。すると、上スリット刃４６と下スリット刃６２によってウエブＷの幅方向における中心において、ウエブＷが走行方向に沿って切断される。
【００２０】
次に、ウエブＷの切断が終わるとウエブＷの走行を停止させると共に、左右一対の支持腕２４，２４を上方に移動させる。
【００２１】
また、上スリット刃が摩耗したりして交換が必要な場合には、右固定部材５４のネジ５８を緩めて右固定部材５４と円筒部材５２を外し、ホルダ４４を回転軸２２から外す。そして、新しいホルダ４４を回転軸２２に挿入し、右円筒部材５６を介して右固定部材５４を固定する。これによって、新しいホルダ４４を固定できる。
【００２２】
（３）効果
本実施形態の切断装置１０によれば、左右一対の支持腕２４，２４から回転軸２２を取り外すことなく、右固定部材５４、右円筒部材５６を取り外すと、上スリット刃４６が固定されているホルダ４４を簡単に外すことができる。
【００２３】
また、回転軸２２の軸方向の長さは、バックアップローラ１８の軸方向の長さの約半分であるため、回転軸２２が撓んだりしない。
【００２４】
また、上スリット刃４６と下スリット刃６２が噛み合う位置で刃が折れたりした場合などの非常時においても、左右一対の支持腕２４を上方に移動させると、その噛み合いが外れる。
【００２５】
また、上スリット刃４６と下スリット刃６２の噛み合う長さを、左右一対の支持腕２４を上下動させるだけで簡単に調整できる。
【００２６】
（４）変更例
上記実施形態では、上スリット刃４６と下スリット刃６２の位置は、ウエブＷの幅方向の中心に設けたが、これに限らず切断が必要な幅方向の位置（例えば、ウエブＷの幅方向の中心より右側など）に移動させてもよい。
【００２７】
また、上記実施形態では、左右一対の支持腕において、上下移動部材３４を上下動させる駆動手段はエアシリンダ３８であったが、これに代えてモータでもよい。
【００２８】
また、上記実施形態では、回転軸２２の回転速度は、走行速度と同じであったが、走行速度よりやや速く（例えば、１０１％〜１０５％）してもよい。
【００２９】
上記では本発明の一実施形態を説明したが、この実施形態は、例として提示したものであり、発明の範囲を限定することは意図していない。これら新規な実施形態は、その他の様々な形態で実施されることが可能であり、発明の主旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３０】
１０・・・切断装置、１８・・・バックアップローラ、２２・・・回転軸、２４・・支持腕、２６・・・駆動装置、３４・・・上下移動部材、４４・・・ホルダ、４６・・・上スリット刃、６０・・・溝、６２・・・下スリット刃
【図１】
2017035767.tif 000003
【図２】
2017035767.tif 000004
【図３】
2017035767.tif 000005